(57)【要約】【課題】カメラ付き携帯端末に装着することにより、カメラによる望遠又は広角での撮影を可能にするカメラ付き携帯端末用のコンバージョンレンズ装置を提供する。【解決手段】このカメラ付き携帯端末用のコンバージョンレンズ装置は、望遠用の凸レンズ又は広角用の凹レンズを設けたレンズ枠部１０の後部を、カメラ付き携帯端末５０のカメラ部分５１に取り付けることにより、望遠又は広角による効果を持たせる。レンズ枠部２０の後部の凹部２５を、カメラ付き携帯端末５０のカメラ部分に取り付けた嵌合片４０に嵌め込むことにより、カメラ付き携帯端末のカメラ部分に着脱可能に取り付ける。【選択図】　　　図１
0003097550.tif 000002
【実用新案登録請求の範囲】
【請求項１】
カメラ付き携帯端末に装着することにより、カメラによる望遠、広角又は接写での撮影を可能にするカメラ付き携帯端末用のコンバージョンレンズ装置であって、
望遠用の凸レンズ又は広角用の凹レンズを設けたレンズ枠部の後部に形成した凹部を、前記カメラ付き携帯端末のカメラ部分に設けた嵌合片に嵌め込むことにより、前記カメラ付き携帯端末に装着する構造としたことを特徴とするカメラ付き携帯端末用のコンバージョンレンズ装置。
【請求項２】
前記レンズ枠部の前記凹部の内側と、前記嵌合片の外側又は内側に、前記凹部を前記嵌合片に嵌め込んだ状態で互いに係合する係合部を設けたことを特徴とする請求項１に記載のカメラ付き携帯端末用のコンバージョンレンズ装置。
【請求項３】
前記レンズ枠部の前部に凸レンズを設け、後部に凹レンズを設けることにより、前記カメラ付き携帯電話に装着することで望遠による効果を持たせ、前記カメラ付き携帯電話に装着しない状態で、望遠鏡として機能するように構成したことを特徴とする請求項１又は請求項２に記載のカメラ付き携帯端末用のコンバージョンレンズ装置。
【考案の詳細な説明】
【０００１】
【考案の属する技術分野】
本考案は、カメラ付きの携帯電話に取り付けることにより、カメラによるワイド又はアップでの撮影を可能にするコンバージョンレンズ装置に関する。
【０００２】
【従来の技術】
近年、携帯電話の普及に伴い、通話機能やメールの送受信機能に加えて、撮影した画像を送信できるカメラ付きの携帯電話が提供されてきている。また、携帯電話以外の携帯端末についてもカメラ付きの機種が提供されている。
【０００３】
このカメラ付き携帯電話は、電話機本体の一部にＣＣＤ素子やＣＭＯＳセンサを用いたカメラが搭載されており、カメラ部分を対象に向けて電話機本体を操作することで撮影ができ、かつその撮影した画像データを送信するなどの処理が可能となっている。
【０００４】
【考案が解決しようとする課題】
上述したこれまでのカメラ付き携帯電話においては、電話本体そのものが小型であることから搭載するカメラの機能が制限され、固定焦点距離の小型のカメラであり、光学式のズーム機能等は備えられていない。このため、屋内や狭い場所などでワイドに撮影したい場合や、撮影位置が限られていて対象をよりアップで撮りたい時等には対処することができないという不都合がある。この事情は、携帯電話以外の携帯端末に備えられたカメラについても同様である。
【０００５】
本考案の目的は、上記従来の欠点を解決するため、カメラ付きの携帯電話に取り付けることにより、カメラの焦点距離を変えてよりワイド又はアップでの撮影を可能にするコンバージョンレンズ装置を提供することにある。
【０００６】
また、本考案の他の目的は、カメラ付き携帯端末に装着しない場合には、通常の望遠鏡としても使用することができる、非常に便利なコンバージョンレンズ装置を提供することにある。
【０００７】
【課題を解決するための手段】
上記の目的を達成するため本考案は、カメラ付き携帯端末に装着することにより、カメラによる望遠、広角又は接写での撮影を可能にするカメラ付き携帯端末用のコンバージョンレンズ装置であって、望遠用の凸レンズ又は広角用の凹レンズを設けたレンズ枠部の後部に形成した凹部を、前記カメラ付き携帯端末のカメラ部分に設けた嵌合片に嵌め込むことにより、前記カメラ付き携帯端末に装着する構造としたことを特徴とする。
【０００８】
請求項２の本考案によれば、前記レンズ枠部の前記凹部の内側と、前記嵌合片の外側又は内側に、前記凹部を前記嵌合片に嵌め込んだ状態で互いに係合する係合部を設けたことを特徴とする。
【０００９】
請求項３の本考案によれば、前記レンズ枠部の前部に凸レンズを設け、後部に凹レンズを設けることにより、前記カメラ付き携帯電話に装着することで望遠による効果を持たせ、前記カメラ付き携帯電話に装着しない状態で、望遠鏡として機能するように構成したことを特徴とする。
【００１０】
【考案の実施の形態】
以下、本考案の第１の実施の形態について図面を参照して詳細に説明する。本考案の第１の実施の形態によるカメラ付き携帯端末用のコンバージョンレンズ装置の外観斜視図を図１に、それを携帯電話へ取り付けた状態を図２に、その縦断面図を図３に示す。この第１の実施の形態によるコンバージョンレンズ装置１０は、カメラ付き携帯電話に装着することにより望遠レンズとして機能する。
【００１１】
図において、本実施の形態によるコンバージョンレンズ装置１０は、レンズ枠部２０に、対物側の凸レンズ２１と接眼側の凹レンズを固着して構成されている。
【００１２】
レンズ枠部２０は、前方に向かって次第に広がる筒状に形成されており、その対物側の前方部分に凸レンズ２１が超音波溶着等の手法によって固着され、接眼側の後方部分に凹レンズ２２が超音波溶着等の手法によって固着されている。
【００１３】
コンバージョンレンズ装置１０は、この凸レンズ２１と凹レンズ２２によってガリレイ式の望遠鏡としての機能を備えており、凹レンズ２２側から覗くことにより一定の倍率で対象を近づけて見ることができる。このコンバージョンレンズ装置の倍率については、凸レンズ２１と凹レンズ２２の焦点距離によって決定されるので、所定の倍率が得られるように凸レンズ２１と凹レンズ２２を選択する。
【００１４】
レンズ枠部２０の後方部分は、図３に示すように、携帯電話側に装着するための凹部２５が形成されている。
【００１５】
また、カメラ付き携帯電話５０のカメラ部分５１には、上記レンズ枠部２０の凹部２５に嵌る嵌合片４０が貼り付けられている。
【００１６】
この嵌合片４０は、合成樹脂等の材質によって図示のように円筒状に形成されており、カメラ付き携帯電話５０のカメラ部分５１のレンズを覆わないように位置決めして両面テープ又は接着剤等によって貼り付けられる。
【００１７】
嵌合片４０の外径は、レンズ枠部２０の凹部２５の内径とほぼ等しく形成されており、レンズ枠部２０の凹部２５を嵌合片４０に嵌め込む場合に、多少のきつさをもって嵌ることによってコンバージョンレンズ装置１０が安定した状態で保持されるように構成されている。
【００１８】
また、嵌合片４０の周囲部分には弾力を持たせるための切り込み部４０ａが設けられている。
【００１９】
さらに、レンズ枠部２０の後部には、所持用の紐環６０が連結環によって取り付けられている。
【００２０】
実際の使用において、コンバージョンレンズ装置１０をカメラ付き携帯電話５０に装着する場合には、レンズ枠部２０の凹部２５の部分を、カメラ付き携帯電話５０のカメラ部分５１に貼り付けた嵌合片４０に被せるようにして装着する。これにより、凹部２５が嵌合片４０に嵌り込むことにより、図２に示すような状態で、一定の保持力を持って装着されることになる。
【００２１】
この状態で、カメラ付き携帯電話５０を操作してカメラによる撮影を行なえば、コンバージョンレンズ装置１０の望遠効果によって対象を拡大したアップでの撮影が可能となる。
【００２２】
また、カメラ付き携帯電話５０のストラップ部分に紐環６０を利用して取り付ければ、常にカメラ付き携帯電話５０と一緒にして持ち運ぶことができて便利であり、紛失も防止できる。
【００２３】
加えて、撮影しない場合でも、上記のようにコンバージョンレンズ装置１０を望遠鏡として用いることができるので、極めて有用である。
【００２４】
さらに、コンバージョンレンズ装置１０のレンズ枠部２０、凸レンズ２１、凹レンズ２２を合成樹脂製とすれば、コンバージョンレンズ装置１０を極めて小型軽量とすることができ、かつ安価に提供することができる。
【００２５】
次に、本考案の第２の実施の形態によるコンバージョンレンズ装置について図４、図５を参照して説明する。図４は本考案の第２の実施の形態によるコンバージョンレンズ装置の外観斜視図、図５はその縦断面図である。
【００２６】
第２の実施の形態によるコンバージョンレンズ装置１００は、カメラ付き携帯電話に装着することにより広角（ワイド）レンズとして機能する。
【００２７】
このコンバージョンレンズ装置１００は、第１の実施の形態と異なり、レンズ枠部１２０に、凹レンズ１２２のみを固着して構成されている。レンズ枠部１２０は、第１の実施の形態と同じように、前方に向かって次第に広がる筒状に形成されており、凹レンズ１２２が超音波溶着等の手法によって固着されている。
【００２８】
コンバージョンレンズ装置１００は、この凹レンズ１２２によって広角レンズとしての機能を有しており、どの程度の広角倍率とするかは、凹レンズ１２２の焦点距離によって決定されるので、所定の倍率が得られるように凹レンズ１２２を選択する。
【００２９】
レンズ枠部１２０の後方部分に、凹部２５が形成されている点、カメラ付き携帯電話５０のカメラ部分５１に、嵌合片４０が貼り付けられている点、所持用の紐環６０が連結環によって取り付けられている点については、第１の実施の形態と同様である。
【００３０】
実際の使用において、第１の実施の形態と同様に、コンバージョンレンズ装置１００のレンズ枠部１２０の凹部２５の部分を、カメラ付き携帯電話５０のカメラ部分５１に貼り付けた嵌合片４０に嵌り込むことにより装着する。
【００３１】
この状態で、カメラ付き携帯電話５０を操作してカメラによる撮影を行なえば、コンバージョンレンズ装置１００の広角効果によってよりワイドな撮影が可能となる。
【００３２】
また、カメラ付き携帯電話５０のストラップ部分に紐環６０を利用して取り付ければ、常にカメラ付き携帯電話５０と一緒にして持ち運ぶことができて便利であり、紛失も防止できる。
【００３３】
次に、本考案の第３の実施の形態によるコンバージョンレンズ装置について図６、図７を参照して説明する。
【００３４】
この第３の実施の形態は、上述した第１及び第２のの実施の形態によるコンバージョンレンズ装置１０、１００の凹部２５と、嵌合片４０の他の構成例であり、その他の部分の構成は上記第１及び第２の実施の形態と同様である。
【００３５】
第３の実施の形態においては、凹部２５の内周面と嵌合片４０の外周面に、互いに係合する係合部２６と４１を設けている。
【００３６】
凹部２５の係合部２６と嵌合片４０の係合部４１は、図示のように略Ｌ字形状の突起であり、互いの係合部が突き当たらないように凹部２５を嵌合片４０に嵌め込んで回すことにより、嵌合片４０の係合突起４１が係合突起２６に係合してコンバージョンレンズ装置が抜け落ちないようになっている。
【００３７】
次に、本考案の第４の実施の形態によるコンバージョンレンズ装置について図８、図９を参照して説明する。
【００３８】
この第４の実施の形態は、上述した第１及び第２のの実施の形態によるコンバージョンレンズ装置１０、１００の凹部２５と、嵌合片４０の他の構成例であり、その他の部分の構成は上記第１及び第２の実施の形態と同様である。
【００３９】
第４の実施の形態においては、凹部２５の内側と嵌合片４０の内側にに、互いに係合する係合突起２６ａと４１ａを設けている。
【００４０】
この凹部２５の係合突起２６ａ及び嵌合片４０の係合突起４１ａは、図示のような形状に形成されており、凹部２５を嵌合片４０に嵌め込んで回すことにより、嵌合片４０の係合突起４１ａが係合突起２６ａに係合してコンバージョンレンズ装置が抜け落ちないようになっている。
【００４１】
なお、本考案は上述した実施の形態に限定されるものではなく、その技術思想の範囲内において様々に変形して実施することができる。
【００４２】
上記実施の形態では、本考案のコンバージョンレンズ装置をカメラ付き携帯電話に装着する場合について説明したが、携帯電話に限らず、それ以外のカメラ付き携帯端末にも同様に使用することが可能なのは言うまでもない。また、上記第１の実施の形態において、レンズを凸レンズのみとして、接写撮影を行うためのコンバージョンレンズ装置として構成することも可能である。
【００４３】
【考案の効果】
以上説明したように本考案のカメラ付き携帯端末用のコンバージョンレンズ装置によれば、カメラ付き携帯電話等の携帯端末のカメラ部分に取り付けることより、簡単に望遠又は広角による効果がえられる。よって、屋内や狭い場所でよりワイドな撮影が可能になり、撮影位置が限られていたりもっとアップで撮りたい時には迫力ある画像を撮影することができるようになる。
【００４４】
さらに、レンズ枠部の凹部を携帯端末のカメラ部分に取り付けた嵌合片に嵌め込む構造とすると共に、その凹部と嵌合片に互いに嵌った状態で係合する係合部を設けたことにより、コンバージョンレンズ装置が抜け落ちることなく安定した状態で装着することができる。
【００４５】
また、携帯端末の機種に限定されることなく、種々の機種のカメラ付き携帯端末又は携帯電話に汎用的に使用することができる。
【００４６】
また、携帯電話に装着しない場合には、それ単体で望遠鏡としても利用することができ、非常に便利である。
【図面の簡単な説明】
【図１】本考案の第１の実施の形態によるカメラ付き携帯端末用のコンバージョンレンズ装置の外観斜視図である。
【図２】本考案の第１の実施の形態によるカメラ付き携帯端末用のコンバージョンレンズ装置の分解斜視図である。
【図３】本考案の第１の実施の形態によるカメラ付き携帯端末用のコンバージョンレンズ装置の縦断面図である。
【図４】本考案の第２の実施の形態によるカメラ付き携帯端末用のコンバージョンレンズ装置の外観斜視図である。
【図５】本考案の第２の実施の形態によるカメラ付き携帯端末用のコンバージョンレンズ装置の縦断面図である。
【図６】本考案の第３の実施の形態によるカメラ付き携帯端末用のコンバージョンレンズ装置の凹部と嵌合片の他の構造例を示す部分拡大図である。
【図７】本考案の第３の実施の形態によるカメラ付き携帯端末用のコンバージョンレンズ装置の凹部と嵌合片の断面図である。
【図８】本考案の第４の実施の形態によるカメラ付き携帯端末用のコンバージョンレンズ装置の凹部と嵌合片の他の構造例を示す部分拡大図である。
【図９】本考案の第４の実施の形態によるカメラ付き携帯端末用のコンバージョンレンズ装置の凹部と嵌合片の断面図である。
【符号の説明】
１０、１００：コンバージョンレンズ装置
２０、１２０：レンズ枠部
２１：凸レンズ
２２、１２２：凹レンズ
２５：凹部
２６：係合部
２６ａ：係合部
３０：磁石
４０：嵌合片
４０ａ：切り込み部
４１：係合部
４１ａ：係合部
５０：カメラ付き携帯電話
５１：カメラ部分
６０：紐環
【図１】
0003097550.tif 000003
【図２】
0003097550.tif 000004
【図３】
0003097550.tif 000005
【図４】
0003097550.tif 000006
【図５】
0003097550.tif 000007
【図６】
0003097550.tif 000008
【図７】
0003097550.tif 000009
【図８】
0003097550.tif 000010
【図９】
0003097550.tif 000011